(57)【要約】本発明はサーフボード用の移送・滑走デバイスに関し、このものは、サーフボードの挙動に影響を及ぼす誘導された水流と、角度(２)で傾斜しかつ非磨耗性の圧力無感応カバーを有する複数のフレキシブルな平行チューブ(１)と具備してなる。水は上記チューブを経て上流に流れ、このチューブは好ましくは、スペーサを用いて堅固なベース上に配置あるいは固定される。その上をボードが滑走する領域では、チューブの横断面は、ボードの滑走・圧潰エッジ(５)によって最大値のゼロまで低減される。このようにして、チューブ内を上方に流れる水柱(３)はサーファーを載せたボード(４)を上方に動かす。強力なウォータージェット(８)がまたチューブの表面上で上方に向けて吹き付けられ、これは、ボードが傾斜しているとき、ボードの下面に衝突し、それゆえまたサーファーが載ったボードを上方に押しやる。本発明の滑走デバイスは湖水に浮揚様式で、陸上で、プールを備えた区域で使用できる。
2006521120.tif 000002
【特許請求の範囲】
【請求項１】
サーフボード(４)に影響を及ぼす誘導水流を具備してなるサーフボード用の移送・滑走デバイスであって、互いに平行であってかつ互いに隣接状態で配置され、基準面(２)に対してある角度をなして傾斜させられ、耐摩耗・圧力無感応カバーを具備してなる複数のフレキシブルチューブ(１)からなり、
前記チューブは、堅固な地面に、好ましくはスペーサが配置された状態で個々に配置されるかあるいは取り付けられ、かつ使用時には、傾斜状態(７)ではスライド・スキッシュエッジ(５)として形成された少なくとも一つの横方向エッジを具備してなる前記サーフボード(４)の、あるいは圧潰の結果として前記チューブには窪みが形成された状態で前記チューブおよびその内部に配された個々の水柱の上にその全滑走面が載っている前記サーフボード(４)の、上方に向う動きをつくり出すために、前記チューブ内を上方に流動する水(３)が流れ、前記窪みの形成によって前記サーフボードが、水流量と同様、前記チューブの横断面をせいぜいゼロ値まで、支持・圧潰ポイントにおいて減少させるようになっていることを特徴とするサーフボード用の移送・滑走デバイス。
【請求項２】
前記チューブ(１)の上面側で、その内部水柱(３)に加えて、ウォータージェット(８)を上方に向けて表面に部分的に吹き付けることができ、かつ自由に排出できることを特徴とする請求項１に記載のサーフボード用デバイス。
【請求項３】
請求項１または請求項２に記載の移送・滑走デバイス上でサーフィンをするためのサーフボードであって、その二つの横方向エッジは、円形断面を備えたスライド・スキッシュエッジ(５)として設計されていることを特徴とするサーフボード。
【発明の詳細な説明】
【技術分野】
【０００１】
本発明は、サーフボードに影響を及ぼす誘導された水流を具備してなるサーフボード用の移送・滑走デバイスに関する。
【背景技術】
【０００２】
本技術の先行状況は、自然の水波上で使用されるサーフボードから人工的に形成された水波(これに関しては大量の水が人工的に形成された部材の上を流れ、大量のエネルギー消費を伴う)上で使用されるサーフボードまでに及ぶ。サーフィンに適したこうした人工的水波の場合、エッジで載った際に、下方に配置された成形面上をサーフボードが滑り落ちないように、波立たされる水膜は非常に厚みの大きなものでなければならない。さらに、巻くことができしかも横方向水供給源または水が充填されたリブ状構造物(その上を水が滝のように流れ落ちる)を具備してなるフレキシブルなプラスチック製のウエブが公知である。特許文献１から、水上滑走用デバイス(やはりサーフボードを使用する)が公知である。この場合には、水は傾斜した人工面の上を流れる。
【特許文献１】米国特許第5,401,117号明細書(LOCHTEFELD、1995年3月28日)
【発明の開示】
【発明が解決しようとする課題】
【０００３】
本発明の請求項１に係る発明によって解決される技術的課題は、新規な面を具備してなる移送・滑走デバイスの構築である。
【課題を解決するための手段】
【０００４】
上記新規な面によって、連続的な閉じた厚い水膜を有する以前から公知の人工サーフィン波の場合よりも実質的にエネルギー消費が少ない独特な設計のボード上でのサーフィンが可能となる。上記面を使用することで、本質的により大きなサーフィンに適した、大きなレベル差を呈する領域を構築することができる。なぜなら、水の大部分はフレキシブルチューブ内を上方に流れるからである。
【０００５】
上記新規な面によって、チューブシステム内を上方に流れる水柱を介して、サーフボードと共にサーファーを上方に移動させることができる。
【０００６】
本発明のさらなる実施形態は、チューブの上面上で、チューブシステム内のその内部水柱に加えて、ウォータージェットが上方に向かって表面に部分的に吹き付けられ、そしてこのウォータージェットはさらに、それがサーフボードに作用した際に、エッジで載ったサーフボードを上方に向かって押しやることにある。
【０００７】
本発明の付加的実施形態は、円形断面を備えたスライド・スキッシュエッジとして設計された、ボードの横方向エッジの独特の設計にある。
【０００８】
上記課題は、請求項１の特徴部分の機能によって解決される。本発明のさらに有利な機能は従属請求項で特徴付けられる。
【０００９】
本発明の特徴、利点および細部について、図面を用いて、さらに詳しく説明する。
【発明を実施するための最良の形態】
【００１０】
サーフボード用の新規な移送・滑走デバイスは、異なる長さの、複数のフレキシブルな、織物状の、高張力プラスチック製のチューブ１からなる。このチューブ１は互いに平行であってかつ互いに隣接状態で配置されている。上記チューブは、基準面に対して角度２をなして、多様な素材から形成される基礎上に、直線または湾曲様式で、あるいは直線および湾曲セクションからなる組み合わせ形態で設けられる。並列接合されたチューブ１の数は、このデバイスが単一のサーファー用の移送・滑走デバイスであるか、数人のサーファーが同時に使用する移送・滑走デバイスであるかに依存する。個々のチューブは、金属またはプラスチックセクションによって互いに正確なポジションで保持される。そして、これは、同時に、横断滑走するボードエッジ５(スライド・スキッシュエッジ)によって上記チューブの正確な圧潰を可能にする。こうして形成された移送・滑走面は、ここでは、堅い地面の上に配置することも、あるいはスペーササポートを用いて自由に設置することもできる。チューブ１内では、市販されているポンプシステム１０を用いて水が押し上げられている。横断滑走しているボード４の領域では、チューブは、傾斜した、ボードのスライド・スキッシュエッジ５を介してサーファーの体重によって潰される。そして、チューブ内を上方に流動する水柱３が、その上にサーファーが載ったボードを上方に押しやる。フレキシブルチューブ内に水圧は、平均的体重のサーファーの体重が、スライド・スキッシュエッジ５として形成されたボードの横方向エッジの全長にわたってチューブを完全に圧潰するのに十分なものとなるよう調整される。滑走段階においては、こうしてサーファーは、チューブ内を上方に流動する水柱３によって形成される浮力に加えて、ウォータージェット８によって形成される浮力を利用できる。
【００１１】
新規に開発されたボード(これは、木材、プラスチック、金属から、あるいはこれら素材の組み合わせから製造される)の寸法は、それを用いてサーフィンをする人の体格および体重に適合させられる。サーファーの体重が少なければ少ないほど、ますます短いボードを選択すべきであり、これによってスキッシュエッジ５の表面圧力は、ボードの角度７がエッジ上で設定される場合に、その下方に存在する全てのチューブを圧潰するのに十分なものとなる。スキッシュエッジ５が同時にまたスライドエッジの役割を果たせるようにするため、それは概して円形横断面を有する。このようにして、ボードが本発明のサーフィン運動面上のいかなるポジションにおいても、チューブ面を傷めることなく、申し分なく滑走できるということが保証される。
【００１２】
ボードの底側に関しては、傾斜したスライド・スキッシュエッジは直接、跳ね上げ面６となっている。これによって、ボードの迎え角が異なる場合に、ボードに対して作用するウォータージェットから最適なエネルギー伝達がもたらされる。ゆえに、運動エネルギーは甚大な損失を伴わずにウォータージェット８からボードへと伝達される。
【００１３】
さらに、その内部を水が通過するチューブ要素１同士の間では、強力なウォータージェット８がポンプシステム９によって上方に吹き付けられており、これによって、サーフィン運動面上に平らに載っているボードを用いて滑走する際に、ボードとチューブとの間には水膜が形成される。この水膜はボードが申し分なく滑走することを可能にする。だが、ボードがサーファー７によってエッジで載せられる場合、ウォータージェットはボードの底側の跳ね上げ面６に衝突し、これによってボード４を上方にさらに押しやる。このようにして、移送・滑走デバイスの領域には、上方に向うウォータージェットを吹き付けることができる。この領域では、付加的浮力がサーファーを上方に確実に移動させるために機能する。上記面の他の領域では、水は簡単に下方に流れ出ることができる。この領域では、下方への滑走および旋回が可能となる。だが、サーファーは強力なウォータージェット８が存在する領域でのみ確実に滑り上がることができる。
【００１４】
アスリートはサーフィン運動面の上端に載ることができ(これは初心者にとって特に好適であり、なぜなら彼らはただちに滑走動作に移るからである)、あるいは上級アスリートはサーフィン運動面の下部領域にも載ることができ、そしてこの面を横切って上方に滑走するために浮力を利用できる。
【００１５】
本発明による移送・滑走デバイスは、浮体に取り付けられて湖水に直接浮くように配置することができ、また可搬のあるいは固定設置された水受け容器と共に建物内に配置でき、またサーフィン運動面の下側領域に水回収容器を備えて屋外傾斜地に配置することができる。
【図面の簡単な説明】
【００１６】
【図１】完全な長さおよび幅でではなく、部分的にのみ示す移送・滑走デバイス上にサーファーが載っている状態を示す概略図である。
【図２】滑走面上のサーフボードを通る断面図である。
【符号の説明】
【００１７】
１  チューブ
２  角度
３  水柱
４  ボード
５  エッジ
６  跳ね上げ面
７  角度
８  ウォータージェット
９,１０  ポンプシステム
【図１】
2006521120.tif 000003
【図２】
2006521120.tif 000004
【手続補正書】
【提出日】平成17年1月27日(2005.1.27)
【手続補正１】
【補正対象書類名】特許請求の範囲
【補正対象項目名】全文
【補正方法】変更
【補正の内容】
【特許請求の範囲】
【請求項１】
サーフボード(４)用の移送・滑走デバイスであって、前記サーフボード(４)の動きに影響を及ぼす上方に向う水流(３,８)を具備してなり、移送・滑走デバイスは、傾斜面が形成されるよう、互いに平行であってかつ互いに隣接状態で配置された複数のフレキシブルチューブ(１)から形成され、前記チューブ内を水が上方に向かって流動すると共に、前記チューブは人が載ったサーフボード(４)によって圧潰可能であり、これによって横断面が少なくとも部分的に絞られるようになっていることを特徴とするサーフボード用の移送・滑走デバイス。
【請求項２】
前記チューブ(１)によって形成された前記面の上面側に、ウォータージェット(８)を上向きに少なくとも部分的に吹き付け可能であることを特徴とする請求項１に記載の移送・滑走デバイス。
【請求項３】
前記チューブ(１)の横断面、したがって前記チューブ(１)を通過する水の流量は、サーフボード(４)を用いて圧潰することによってゼロまで低下させることができることを特徴とする請求項１または請求項２に記載の移送・滑走デバイス。
【請求項４】
前記チューブ(１)によって形成された前記面は平坦であることを特徴とする請求項１ないし請求項３のいずれか１項に記載の移送・滑走デバイス。
【請求項５】
前記チューブ(１)によって形成された前記面は湾曲形状を有することを特徴とする請求項１ないし請求項４のいずれか１項に記載の移送・滑走デバイス。
【請求項６】
前記チューブ(１)は、織物状の高張力合成素材から形成されていることを特徴とする請求項１ないし請求項５のいずれか１項に記載の移送・滑走デバイス。
【請求項７】
円形の、好ましくは円環状の横断面を有する横方向エッジ(５)を備えたサーフボード(４)をサーフボードとして備えることを特徴とする、サーフボード(４)と組み合わされた請求項１ないし請求項６のいずれか１項に記載の移送・滑走デバイス。
【請求項８】
その横方向エッジ(５)が直接、前記ボードの底側で跳ね上げ面(６)となっているサーフボード(４)をサーフボードとして備えることを特徴とする請求項１ないし請求項７のいずれか１項に記載の移送・滑走デバイス。
【手続補正２】
【補正対象書類名】明細書
【補正対象項目名】０００１
【補正方法】変更
【補正の内容】
【０００１】
本発明は、請求項１のプリアンブルに記載のサーフボード用の移送・滑走デバイスに関する。
【手続補正３】
【補正対象書類名】明細書
【補正対象項目名】０００３
【補正方法】変更
【補正の内容】
【０００３】
本発明によって解決される技術的課題は、新規な面を具備してなる移送・滑走デバイスの構築である。
【手続補正４】
【補正対象書類名】明細書
【補正対象項目名】０００４
【補正方法】変更
【補正の内容】
【０００４】
上記新規な面によって、連続的な閉じた厚い水膜を有する以前から公知の人工サーフィン波の場合よりも実質的にエネルギー消費が少ないサーフィンが可能となる。上記面を使用することで、大きなレベル差を呈する本質的により大きなサーフィンに適した領域を構築することが可能になるであろう。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【国際調査報告】
2006521120.tif 000005
2006521120.tif 000006
2006521120.tif 000007
2006521120.tif 000008
2006521120.tif 000009
2006521120.tif 000010